(57)【特許請求の範囲】
【請求項１】
圧搾ニップで材料ウェブを処理するための搾水装置用の圧搾ジャケット（１０）であって、ジャケット外面（１２）に複数の溝（１４）及び／又は盲孔（１６）が設けられている形式のものにおいて、
側壁（１８）が開口領域に斜面（２０）を有しており、且つ／又は所定の曲線に対応して延びる球形区分（２０′）を有している複数の溝（１４）、及び／又は盲孔（１６）を圧搾ジャケットが備えており、これにより、圧搾負荷時に生ぜしめられる容積減少が阻止されており、溝深さ、若しくは孔深さの方向で測定された斜面（２０）の縁部長さ（ｙ）が、縦方向で測定された縁部長さ（ｘ）の約１〜３倍であり、且つ／又は、溝深さ、若しくは孔深さの方向で、球形区分（２０′）に接する接線に関して測定された前記球形区分の縁部長さ（ｙ）が、縦方向で前記接線に関して測定された縁部長さ（ｘ）の約１〜３倍であり、溝深さ、若しくは孔深さの方向で測定された斜面（２０）若しくは球形区分（２０′）の縁部長さ（ｙ）が、各溝（１４）若しくは各盲孔（１６）の底部（２２）と、斜面（２０）若しくは球形区分（２０′）との間に壁区分（２４）が残されているように設定されている、ことを特徴とする圧搾ジャケット。
【請求項２】
縦方向で測定された斜面（２０）の縁部長さ（ｘ）が、約０．１ｍｍ〜約０．３ｍｍの範囲内である、請求項１記載の圧搾ジャケット。
【請求項３】
縦方向で、球形区分（２０′）に接する接線に関して測定された前記球形区分の縁部長さ（ｘ）が、約０．１ｍｍ〜約０．３ｍｍの範囲内である、請求項１又は２記載の圧搾ジャケット。
【請求項４】
球形区分（２０′）が、少なくともほぼ円弧に相当する曲線に対応して延びている、請求項１から３までのいずれか１項記載の圧搾ジャケット。
【請求項５】
球形区分（２０′）が、少なくともほぼ伸開線に相当する曲線に対応して延びている、請求項１から３までのいずれか１項記載の圧搾ジャケット。
【請求項６】
斜面（２０）、若しくは球形区分（２０′）が、各溝（１４）若しくは各盲孔（１６）の外縁部に形成されている、請求項１から５までのいずれか１項記載の圧搾ジャケット。
【請求項７】
斜面（２０）、若しくは球形区分（２０′）が、各溝（１４）若しくは各盲孔（１６）の外縁部に関して、溝深さ、若しくは孔深さの方向で内側に向かってずらされており、且つ前記外縁部から間隔（ａ）を置いて形成されている、請求項１から５までのいずれか１項記載の圧搾ジャケット。
【請求項８】
圧搾ジャケットの少なくとも周方向で延在する各溝（１４）の側壁（１８）それぞれに、斜面（２０）若しくは球形区分（２０′）が設けられている、請求項１から７までのいずれか１項記載の圧搾ジャケット。
【請求項９】
各盲孔（１６）の側壁（１８）に、内周全体にわたって延在する環状の斜面（２０）、若しくは球形区分（２０′）が設けられている、請求項１から８までのいずれか１項記載の圧搾ジャケット。
【発明の詳細な説明】
【０００１】
【発明の属する技術分野】
本発明は、圧搾ニップで特に紙料ウェブ又は厚紙ウェブ等の材料ウェブを処理するための搾水装置用の圧搾ジャケットであって、ジャケット外面に複数の溝及び／又は盲孔が設けられている形式のものに関する。
【０００２】
【従来の技術】
このような形式の圧搾ジャケットは、例えば剛性の支持体の周囲を取り囲むフレキシブルな圧搾ジャケットが特に剛性の対抗面に対して押し付けられる搾水装置のために使用される。フレキシブルな圧搾ジャケットと対抗面との間に形成された圧搾ニップを通って材料ウェブが案内される。この材料ウェブは、特に紙料ウェブ又は厚紙ウェブであってよい。圧搾ジャケットのフレキシビリティーに基づき、この圧搾ジャケットは特にシュー形プレスユニットのジャケットとしてロングニップ搾水機においても使用することができる。
【０００３】
圧搾ニップにおいて液圧力を低下させるため、並びに脱水作業を改善するためには、圧搾ジャケットに部分的に複数の溝又は盲孔が設けられており、これらの溝又は盲孔によって、運転時間中できるだけ一定の付加的な蓄水容積が得られることが望ましい。溝幅は一般に０．５〜１．５ｍｍの範囲内であり、有利な溝幅は１．０ｍｍである。このような溝の平行な側壁の深さは、一般に０．５〜２．０ｍｍの範囲内であり、有利な深さは１．０ｍｍである。これらの溝は部分的に、５〜１５°の角度で円錐形に形成されてもいる。このような圧搾ジャケットは、例えば米国特許第５５４３０１５号明細書に基づき公知である。この公知の盲孔は、一般に１．６〜２．８ｍｍの範囲内の直径を有しており、この場合有利な直径は、２．２ｍｍである。このような盲孔は、一般に１．５〜２．５ｍｍの範囲内の深さを有しており、この場合、有利な深さは２．０ｍｍである。これらの盲孔は一般に円筒形に形成されている。
【０００４】
圧搾ニップにおける高度な負荷に基づき、並びに前記のような圧搾ジャケットのために一般に使用されるエラストマーな材料の流動特性に基づき、溝若しくは盲孔は運転中に「押し閉じられ」、この場合、特に開口領域において横断面減少が生ぜしめられる。これにより、運転中に得られる蓄水容積が、最初の新品状態における蓄水容積、並びに負荷不足時に与えられる蓄水容積に比べて部分的に著しく減少される。その結果、溝、若しくは盲孔を以て目標とされた、圧搾ニップ内で付加的な蓄水容積に基づき高められた脱水能力の本来の利点は、少なくとも部分的に再び粉砕されることになる。実地においては特に、前掲の米国特許第５５４３０１５号明細書に基づき公知の圧搾ジャケットの、５〜１５°の角度で円錐形に延びる溝が、少なくとも前記の点において実際には改善を伴わないことも判った。
【０００５】
【発明が解決しようとする課題】
本発明の課題は、冒頭で述べた形式の圧搾ジャケットを改良して、比較的高い圧搾負荷、並びに一般に使用されるエラストマーな材料の流動特性にもかかわらず、できるだけ大きな蓄水容積の維持を保証する圧搾ジャケットを提供することである。
【０００６】
【課題を解決するための手段】
この課題を解決するために本発明では、側壁が開口領域に斜面を有しており、且つ／又は所定の曲線に対応して延びる球形区分を有している複数の溝、及び／又は盲孔を圧搾ジャケットが備えており、これにより、圧搾負荷時に生ぜしめられる容積減少が阻止されるようにした。
【０００７】
【発明の効果】
その結果、圧搾負荷時にその都度生ぜしめられる容積減少は、各溝、若しくは各孔の臨界開口領域に斜面、若しくは所定の曲線に対応して延びる球形区分が設けられており、該斜面、若しくは球形区分が、溝若しくは盲孔の「押閉じ」を完全に、又は少なくとも部分的に補償することにより阻止される。このための、請求項に記載の溝の形状及び構成は、当該圧搾ジャケットの新品状態に関連している。
【０００８】
この場合、溝深さ若しくは孔深さの方向で測定された斜面の縁部長さは、機械方向に対して直交する縦方向で測定された縁部長さの、有利には約１〜３倍、殊に約２倍である。縦方向で測定された斜面の縁部長さは、特に約０．１ｍｍ〜０．３ｍｍの範囲内であってよく、有利には約０．２ｍｍであってよい。
【０００９】
所定の曲線に対応して延びる球形区分においても、有利には適当な寸法が設定されている。その場合この寸法は、有利には球形区分に接する接線に関連している。
【００１０】
これに対応して有利な実施形態では、溝深さ若しくは孔深さの方向で、有利には球形区分に接する接線に関して測定された球形区分の縁部長さは、縦方向で有利には前記接線に関して測定された縁部長さの約１〜３倍、有利には２倍である。更に、縦方向で有利には球形区分に接する接線に関して測定された球形区分の縁部長さは、約０．１ｍｍ〜約０．３ｍｍの範囲内であってよく、有利には約０．２ｍｍであってよい。
【００１１】
溝深さ若しくは孔深さの方向で測定された斜面若しくは球形区分の縁部長さは、特に各溝若しくは各盲孔の底部と斜面若しくは球形区分との間に、壁区分が残されているように設定されていてもよい。
【００１２】
球形区分は所定の曲線に対応して延びていてよく、この曲線は、例えば円弧又は伸開線に少なくともほぼ相当する。
【００１３】
本発明による圧搾ジャケットの実用的な有利な実施形態では、斜面若しくは球形区分が、各溝、若しくは各盲孔の外縁部に直接に形成されている。
【００１４】
択一的な実施形態では、斜面若しくは球形区分は、各溝、若しくは各盲孔の外縁部に関して、溝深さ若しくは孔深さの方向で内側に向かってずらされており、且つ前記外縁部から間隔を置いて形成されていてよい。
【００１５】
溝の場合、有利には少なくとも圧搾ジャケットの周方向で延在する溝の側壁それぞれに、斜面、若しくは球形区分が設けられている。
【００１６】
各盲孔の側壁には、有利には内周全体にわたって延在する環状の斜面、若しくは球形区分が設けられている。
【００１７】
【発明の実施の形態】
以下に、本発明の実施の形態を図面につき詳しく説明する。
【００１８】
図１から図４には、圧搾ニップで材料ウェブを処理するための搾水装置に使用可能な圧搾ジャケット１０が、それぞれ概略的に部分断面図で示されている。前記材料ウェブは、特に紙料ウェブ又は厚紙ウェブであってよい。
【００１９】
ジャケット外面１２には、多数の溝１４及び／又は盲孔１６がそれぞれ設けられている。
【００２０】
これらの溝１４（図１及び図３参照）及び盲孔１６（図２及び図４参照）の側壁１８には、圧搾負荷時に生ぜしめられる容積減少を阻止するために、それぞれ斜面２０が設けられている。
【００２１】
直線で描かれた斜面２０の代わりに、所定の曲線に対応して延びる球形区分２０′がそれぞれ設けられていてもよい。このような球形区分２０′は、図１及び図２に破線で描かれている。
【００２２】
溝深さ、若しくは孔深さの方向で測定された各斜面２０の縁部長さｙ（図１〜図３参照）は、図示の実施例では縦方向で測定された縁部長さｘ（図１〜図３参照）の約１〜３倍、有利には約２倍である。各斜面の、縦方向で測定された縁部長さｘは、有利には約０．１ｍｍ〜約０．３ｍｍの範囲内にあり、この場合縁部長さｘは、殊に約０．２ｍｍである。
【００２３】
選択的に斜面２０の代わりに設けられていてよい球形区分２０′は、有利には比較可能な縁部長さｘ，ｙを有しており、しかもこの縁部長さｘ，ｙは、有利には各球形区分２０′に接する接線に関して測定される。この接線は、代用された各斜面２０の平面内で延びていてよい（図１及び図２参照）。
【００２４】
図１〜図４に示した圧搾ジャケット１０の全実施例において、溝深さ、若しくは孔深さの方向で測定された、各斜面２０、若しくは各球形区分２０′の縁部長さｙ（図１〜図３参照）は、各溝１４若しくは各盲孔１６の底部２２と、斜面２０若しくは球形区分２０′との間に壁区分２４（盲孔１６の場合には円筒形の壁区分２４）が残されるように設定されている。
【００２５】
図１及び図２に破線で示した球形区分２０′は、特に所定の曲線に対応して延びていてよい。この曲線は、例えば少なくとも円弧に近似しているか、又は少なくともほぼ伸開線に相当する。
【００２６】
図１及び図２に示した実施例では、斜面２０、若しくは球形区分２０′は、当該溝１４（図１参照）、若しくは盲孔１６（図２参照）の、開口領域を制限する外縁部に直接に形成されている。この場合、溝深さ、若しくは孔深さの方向で測定された各斜面２０、若しくは各球形区分２０′の縁部長さｙは、底部２２に続く壁区分２４の深さよりもやや大きい。
【００２７】
これに対して図３及び図４に示した実施例では、斜面２０、若しくは球形区分２０′が、溝１４（図３参照）若しくは盲孔１６（図４参照）の、開口領域を制限する外縁部に関して、溝深さ、若しくは孔深さの方向で内側に向かってずらされており、且つ前記外縁部から間隔ａを置いて形成されている。
【００２８】
図１及び図３に基づき明らかなように、溝１４の底部２２の横断面は部分円形に形成されている。
【００２９】
図１及び図３では、圧搾ジャケットの周方向で延在する各溝１４の両側壁１８それぞれに、斜面２０、若しくは球形区分２０′が設けられている。
【００３０】
図２及び図４に示した両盲孔１６の場合は、側壁１８に、内周全体にわたって延在する環状の斜面２０、若しくは球形区分２０′が設けられている。
【００３１】
図３及び図４に基づき明らかなように、斜面２０の、溝深さ、若しくは孔深さの方向で測定された縁部長さｙは、斜面の外縁部からの間隔ａよりも大きく、且つ底部２２と斜面２０との間に設けられた壁区分２４の深さよりも大きい。
【図面の簡単な説明】
【図１】  外縁部に互いに対向位置する２つの斜面の設けられた溝が内部に認められる圧搾ジャケットの第１実施例の概略的な部分断面図である。
【図２】  外縁部に環状の斜面の設けられた盲孔が内部に認められる圧搾ジャケットの別の実施例の概略的な部分断面図である。
【図３】  斜面が外縁部に関して内側に向かってずらされている溝が内部に認められる圧搾ジャケットの更に別の実施例の概略的な部分断面図である。
【図４】  斜面が外縁部に関して内側に向かってずらされている盲孔が内部に認められる圧搾ジャケットの更に別の実施例の概略的な部分断面図である。
【符号の説明】
１０  圧搾ジャケット、  １２  ジャケット外面、  １４  溝、  １６  盲孔、  １８  側壁、  ２０  斜面、  ２０′  球形区分、  ２２  底部、  ２４  壁区分、  ａ  間隔、  ｘ，ｙ  縁部長さ
【図１】
0004331315.tif 000002
【図２】
0004331315.tif 000003
【図３】
0004331315.tif 000004
【図４】
0004331315.tif 000005